(57)【要約】      （修正有）【課題】ブランキング期間中の動画中静止画処理は、共有モジュールの回路コストと消費電力が増加する。【解決手段】動画撮影中に静止画記録する撮像装置であって、画像信号を一時的に保持する記憶手段０１１３と、所定の信号処理を施す第１の画像処理手段０１０４と、動画用の信号処理を施す第２の画像処理手段０１０５と、静止画用の信号処理を施す第３の画像処理手段とを有する。第１の画像処理手段は、有効画像領域外の領域信号として、第一のブランキング領域の信号、および第二のブランキング領域の信号を出力し、第２の画像処理手段は、第一のブランキング期間中に、記憶手段から読み出した画像信号に対して、動画用の信号処理を施し、第３の画像処理手段は、第二のブランキング期間を含む、任意のブランキング期間中に、記憶手段から読み出した画像信号に対して、静止画用の信号処理を施す。【選択図】図１
2019022031.tif 000002
【特許請求の範囲】
【請求項１】
動画撮影中に静止画記録する撮像装置であって、
画像信号を一時的に保持する記憶手段と、画像信号に所定の信号処理を施す、第１の画像処理手段と、画像信号に動画用の信号処理を施す第２の画像処理手段と、画像信号に静止画用の信号処理を施す第３の画像処理手段と、で構成され、
前記第１の画像処理手段は、有効画像領域外の領域信号として、少なくとも、第一のブランキング領域の信号、および第二のブランキング領域の信号を出力するブランキング期間出力手段を有し、
前記第１の画像処理手段は、前記ブランキング期間出力手段が示す、前記第一のブランキング期間中に、前記記憶手段から読み出した画像信号に対して、静止画用の信号処理を施し、前記第３の画像処理手段は、前記ブランキング期間出力手段が示す、前記第二のブランキング期間を含む、任意のブランキング期間中に、前記記憶手段から読み出した画像信号に対して、静止画用の信号処理を施すことを特徴とする撮像装置。
【請求項２】
前記第１の画像処理手段は、前記記録手段に保持された画像信号を、前記ブランキング期間手段が示す、前記第一のブランキング期間中に静止画用の信号処理が完了するように、矩形に分割して読み出すことを特徴とする請求項１に記載の撮像装置。
【請求項３】
前記第１の画像処理手段、第３の画像処理手段は、其々複数のブロックで構成され、前記第１の画像処理手段に含まれるブロックは、其々が前記ブランキング期間出力手段を有し、前記第１の画像処理手段は、対応したブロックの前記ブランキング期間出力手段が示す、前記第一のブランキング期間中に、静止画用の信号処理を施し、前記第３の画像処理手段に含まれるブロックは、対応したブロックの前記ブランキング期間が示す、第一のブランキング期間を含む、任意のブランキング期間中に、静止画用の信号処理を施すことを特徴とする請求項２に記載の撮像装置。
【請求項４】
前記第３の画像処理手段は、前記第２の画像処理手段と同じ機能を有することを特徴とする請求項１乃至請求項３の何れか一項に記載の撮像装置。
【請求項５】
前記第一のブランキング期間は、垂直ブランキング期間を示し、前記第二のブランキング期間は、水平ブランキング期間を示すことを特徴とする請求項１乃至請求項４の何れか一項に記載の撮像装置。
【発明の詳細な説明】
【技術分野】
【０００１】
本発明は、撮像装置における、動画記録中の静止画記録に関する。
【背景技術】
【０００２】
近年、４Ｋ、ＳＨＶなど、動画撮影の多画素化（高解像度化）によって、静止画記録の品位を落とさず、動画と静止画を１つのシステムで同時に記録する技術が特許文献１にて、開示されている。
【０００３】
特許文献１にて開示される技術においては、動画記録と静止画記録の両機能を１組の撮像素子と処理経路によって実現する。そして、動画記録の最中に静止画記録が指示された場合、撮像素子から出力される原画像信号を、一旦ＤＲＡＭなどの記録手段に記録させ、有効画像領域以外の領域の信号が、撮像素子から出力されている期間、例えば、ブランキング期間、に記録手段に記録した原画像信号を読み出して、静止画用の信号処理を施すことで、動画記録が時間的に不連続になることなく、静止画記録を実現することが出来る。
【先行技術文献】
【特許文献】
【０００４】
【特許文献１】特開２００７−２２８１１９号公報
【発明の概要】
【発明が解決しようとする課題】
【０００５】
しかし、特許文献１の技術において、ブランキング期間中に静止画用の信号処理を施す場合、垂直方向の画素を参照した信号処理を実現するために必要となるラインメモリを、静止画用と動画用で別で準備する必要がある。
【０００６】
静止画処理は、ブランキング期間など、原画像信号が来ていない期間に、少しずつ処理することとなるため、原画像信号が来ている期間（動画用の信号処理を行う期間）は、処理を中断し、中断した時点の参照画素の情報を含めた、信号処理途中の状態を保持する必要があるためである。
【０００７】
また、静止画と動画では施す信号処理が異なる場合があり、共通の信号処理を施してしまうと、消費電力が大きくなるなど、動画、静止画の其々で最適な処理が施されない。
【課題を解決するための手段】
【０００８】
上記の課題を解決するために、本発明に係る撮像装置は、
動画撮影中に静止画記録する撮像装置であって、
画像信号を一時的に保持する記憶手段と、画像信号に所定の信号処理を施す、第１の画像処理手段と、画像信号に動画用の信号処理を施す第２の画像処理手段と、画像信号に静止画用の信号処理を施す第３の画像処理手段と、で構成され、前記第１の画像処理手段は、有効画像領域外の領域信号として、少なくとも、第一のブランキング領域の信号、および第二のブランキング領域の信号を出力するブランキング期間出力手段を有し、前記第１の画像処理手段は、前記ブランキング期間出力手段が示す、前記第一のブランキング期間中に、前記記憶手段から読み出した画像信号に対して、静止画用の信号処理を施し、前記第３の画像処理手段は、前記ブランキング期間出力手段が示す、前記第二のブランキング期間を含む、任意のブランキング期間中に、前記記憶手段から読み出した画像信号に対して、静止画用の信号処理を施すことを特徴とする。
【０００９】
また、前記第１の画像処理手段は、前記記録手段に保持された画像信号を、前記ブランキング期間手段が示す、前記第一のブランキング期間中に静止画用の信号処理が完了するように、矩形に分割して読み出すことを特徴とする。
【００１０】
また、前記第１の画像処理手段、第３の画像処理手段は、其々複数のブロックで構成され、前記第１の画像処理手段に含まれるブロックは、其々が前記ブランキング期間出力手段を有し、前記第１の画像処理手段は、対応したブロックの前記ブランキング期間出力手段が示す、前記第一のブランキング期間中に、静止画用の信号処理を施し、前記第３の画像処理手段に含まれるブロックは、対応したブロックが有する前記ブランキング期間が示す、第一のブランキング期間を含む、任意のブランキング期間中に、静止画用の信号処理を施すことを特徴とする。
【発明の効果】
【００１１】
本発明に係る撮像装置によれば、消費電力と回路コストを抑えつつ、動画記録中の静止画の記録可能枚数を増やすことが出来る。
【図面の簡単な説明】
【００１２】
【図１】実施例１の構成
【図２】マイコンの制御２フローチャート
【図３】動画処理時の画像信号０１０１の信号構成
【図４】静止画処理時の画像信号０１０２の読み出し
【図５】ブランキング期間におけるタイミングチャート
【図６】１Ｖ期間におけるタイミングチャート
【図７】動画撮影中の静止画処理のタイミングチャート
【発明を実施するための形態】
【００１３】
以下、本発明を実施するための形態について、図面を参照しながら説明する。
【実施例１】
【００１４】
図１は、本発明の実施形態における、ブロック構成図である。
【００１５】
最初に、図１を用いて、本発明のデータフローを説明する。
【００１６】
画像信号０１０１は、動画処理に使用される画像信号である。画像信号０１０１は、ＣＭＯＳセンサなどに代表される撮像素子から所定のフレームレート（例えば、１秒間に６０フレーム）で入力される。本実施形においては、撮像素子から入力される画像信号をＤＲＡＭ０１１３に一旦書き出し、その後に、ＤＲＡＭ０１１３から画像信号を読み出す構成としているが、撮像素子から直接セレクタ０１０３へ入力しても良い。
【００１７】
画像信号０１０２は、静止画処理に使用される画像信号である。画像信号０１０２は、所定のフレームレートで撮像素子から入力される画像信号に対し、シャッターボタンを押すなどして、静止画撮影指示がされた時間のフレームの画像信号をＤＲＡＭに書き出したものである。本実施例のように、動画処理に使用する画像信号０１０１をＤＲＡＭ０１１３に書き出す場合は、画像信号０１０１と画像信号０１０２を書き出すアドレス領域は別とする。
【００１８】
セレクタ０１０３は、マイコン０１１０からの指示によって、センサ補正手段０１０４に入力する画像信号の切り替えを行う。
【００１９】
センサ補正手段０１０４は、入力される画像信号に対して、ゲイン補正や欠陥画素補正などを行うものであり、動画処理、静止画処理両方で使用される。
【００２０】
セレクタ０１１６は、マイコン０１１０からの指示によって、センサ補正が実施された画像信号０１０１を動画用カメラ信号処理手段０１０４へ入力する、センサ補正が実施された画像信号０１０２をＤＲＡＭ０１１３に中間画像信号０１１４として記録する、処理の切り替えを行う。
【００２１】
カメラ信号処理とは、ホワイトバランス調整や、ノイズリダクション、現像、アパーチャ補正などを想定したものであり、動画用のカメラ信号処理手段０１０５と、静止画用のカメラ信号処理手段０１０６と、動画処理、静止画処理両方で使用する共通カメラ信号処理手段０１０８とで構成される。
【００２２】
動画用カメラ信号処理手段０１０５と静止画用カメラ信号処理手段０１０６は同じ機能を有するものであるが、動画用カメラ信号処理手段０１０５は、静止画用カメラ信号処理手段０１０６に対して、消費電力が小さく、かつ、リアルタイム処理に適した構成となっており、例えば、カメラ信号処理内容が簡易的になっている。また、静止画用カメラ信号処理手段０１０６は、中間画像信号０１１４をＤＲＡＭ０１１３から読み出して処理を行い、静止画用カメラ信号処理が実施された中間画像信号０１１５をＤＲＡＭ０１１３に記録する。
【００２３】
動画用カメラ信号処理手段０１０５で処理された画像信号０１０１と、静止画用カメラ信号処理手段０１０６で処理された画像信号０１０２（ＤＲＡＭ０１１３に配置された中間画像信号０１１５）は、セレクタ０１０７に入力される。セレクタ０１０７は、マイコン０１１０からの指示によって、共通カメラ信号処理手段０１０８に入力する画像信号の切り替えを行う。
【００２４】
共通カメラ信号処理手段０１０８で処理された画像信号は、セレクタ０１０９に入力される。そして、セレクタ０１０９は、マイコン０１１０からの指示によって、動画用の記録画像０１１１としてＤＲＡＭ０１１３に書き出すか、静止画用の記録画像０１１２としてＤＲＡＭ０１１３に書き出すか、の切り替えを行う。
【００２５】
各ブロックは、前段ブロックが出力するブランキング信号を、ブロックの回路遅延分だけ、遅延させて、後段ブロックへ出力する機能を有する。尚、最初のブランキング信号は、ＤＲＡＭ０１１３から画像信号と共に出力されるブランキング信号である。図６は、各ブロックの有効画像入力期間を示しており、レベルがＨＩのときに画像信号が入力される。動画パスにおいて、信号レベルがＬＯＷであることは、水平ブランキング期間、もしくは垂直ブランキング期間であることを示す。また、静止画パスにおいて、センサ補正手段０１０４と共通カメラ信号処理手段０１０４は、動画パスにおける、水平ブランキング期間、垂直ブランキング期間に、静止画用の画像信号（画像信号０１０２、中間信号０１１５）が入力される。前述したとおり、各ブロックは、回路遅延を有するため、各ブロックで、有効画像が入力される期間が異なる。後段のブロック程、有効画像期間が遅延することとなる。また、本実施例においては、撮像素子から出力された画像信号０１０１の有効画像領域外の期間を、ブランキング期間として使用するが、ＤＲＡＭ０１１３が、セレクタ０１０３にデータを出力するタイミングに基づいて、水平ブランキング期間、垂直ブランキング期間に相当する、複数のブランキング信号を生成しても良い。
【００２６】
また、動画、静止画両方の処理で使用する、センサ補正手段０１０４と共通カメラ信号処理手段０１０８は、ブランキング期間を示すブランキング信号をマイコン０１０８に出力する。マイコン０１０８は、受け取ったブランキング信号によって、セレクタ０１０３、０１０７、０１０９の切り替えの指示、センサ補正手段０１０４、動画用カメラ信号処理手段０１０５、静止画用カメラ信号処理手段０１０６、共通カメラ信号処理手段０１０８の起動・中断・終了の指示、動画用パラメータと静止画用パラメータの切り替え指示、などを行う。
【００２７】
以上が、本発明のデータ処理フローである。
【００２８】
図２は、本発明の実施形態における、マイコン０１１０の静止画撮影時の制御フローである。
【００２９】
次に、図２を用いて、本発明の静止画撮影制御フローを説明する。
【００３０】
Ｓ０２０１：カメラ本体のシャッターボタンが押されるなどによって、静止画撮影の指示が為されたときに撮像された画像信号を、静止画処理用の画像信号０１０２として、ＤＲＡＭ０１１３に記憶する。前述したように、動画処理を行う画像信号０１０１とは、別のアドレス領域に記憶する。
【００３１】
図３は、撮像素子からの画像信号の例である。撮像素子からの画像信号は、有効画像領域０３０１と、グレーで示される無効画像領域０３０２で構成される。本実施例では、無効画像領域０３０２のうち、水平方向の無効画像領域が出力される期間０３０３を水平ブランキング期間、垂直方向の無効画像領域が出力される期間０３０４を垂直ブランキング期間とする。
【００３２】
静止画処理用の画像信号０１０２は、有効画像領域０３０１のみを記憶すれば良いが、無効画像領域０３０２も合わせて記憶しても良い。
【００３３】
動画処理を行う画像０１０１は、水平ブランキング期間０３０３、垂直ブランキング期間０３０４を示す信号を有する。セレクタ０１０３からは、画像信号０１０１が有する水平ブランキング期間０３０３と垂直ブランキング期間０３０４を示す信号が選択された画像信号と共に出力される。両ブランキング信号は、信号レベルがＬＯＷのときに、ブランキング期間であることを示す。
【００３４】
図１と図６で示している通り、ＤＲＡＭ０１１３が出力するブランキング信号は、セレクタ０１０３、センサ補正手段０１０４、セレクタ０１１６．．．と、ブロックの回路遅延分、遅延させたブランキング信号が、後段のブロックへ入力される。
【００３５】
Ｓ０２０２：水平ブランキング期間、並びに垂直ブランキング期間以外の期間は、セレクタ０１０３はＤＲＡＭ０１１３に保持された、動画処理用の画像信号０１０１（有効画像領域０３０１）を選択して読み出す。画像信号０１０１は、図４（ａ）のように、ラスタスキャンで読み出される。本実施例では、ラスタスキャンでの画像信号読み出しを一括読み出しと呼称する。
【００３６】
読みだされた画像信号０１０１は、センサ補正手段０１０４、動画用カメラ信号処理手段０１０５、セレクタ０１０７、共通カメラ信号処理手段０１０８、セレクタ０１０９を経由して、ＤＲＡＭ０１１３に、記録画像０１１１として記録される。
【００３７】
Ｓ０２０３：センサ補正手段０１０４からマイコン０１１０に入力される水平ブランキング期間信号がＬＯＷ（図６における、水平ブランキング期間０６０１）のとき、静止画処理動作（Ｓ０２０４〜Ｓ０２０８）を実施する。尚、水平ブランキング期間信号がＬＯＷのときは、静止画処理用カメラ信号処理手段０１０６のみが動作する。
【００３８】
図５は、各ブランキング期間中の、センサ補正手段０１０４ならびに共通カメラ信号処理手段０１０８と、静止画用カメラ信号処理手段０１０６の制御を示している。センサ補正手段０１０４ならびに共通カメラ信号処理手段０１０８は、水平ブランキング期間中は動作を停止する。
【００３９】
静止画用カメラ信号処理手段０１０６は、水平ブランキング期間０６０１中に、静止画設定と起動（Ｓ０２０４）、静止画処理（Ｓ０２０５）、静止画中断処理（Ｓ０２０８）が実施される。
【００４０】
Ｓ０２０４：静止画用カメラ信号処理手段０１０６の設定と、データ読み出しの開始を行う。静止画用カメラ信号処理手段０１０６は、前述の通り、ＤＲＡＭ０１１３上に配置された中間画像信号０１１４を入力信号として処理し、静止画用カメラ信号処理が実施された画像信号を、中間画像信号０１１５として、ＤＲＡＭ０１１３上に記録する。
【００４１】
マイコン０１１０は、静止画用カメラ信号処理手段０１０６に対して、画質パラメータの設定や、ＤＲＡＭ０１１３からの中間画像信号０１１４の読み出し、ならびに、ＤＲＡＭ０１１３への中間画像信号０１１５への書き出し、などの制御設定を行う。
【００４２】
中間画像信号０１１４は、図４（ａ）のように、ラスタスキャンで読み出しても、図４（ｂ）のように矩形サイズに分割して読み出しても良い。
【００４３】
Ｓ０２０５：上記設定後、水平ブランキング期間０６０１中、静止画用カメラ信号処理手段０１０６による記録画像処理が為される。
【００４４】
Ｓ０２０６：水平ブランキング期間中に、中間画像信号０１１４の静止画用カメラ信号処理が完了した場合は、ＤＲＡＭ０１１３からの中間画像信号０１１４の読み出し、ならびに、ＤＲＡＭ０１１３への中間画像信号０１１５への書き出しを停止するため、Ｓ０２０８へ移行する。
【００４５】
Ｓ０２０７：センサ補正手段０１０４からマイコン０１１０に入力される水平ブランキング期間信号がＨＩになると、画像信号０１０１の処理を再開する必要があるため、ＤＲＡＭ０１１３からの中間画像信号０１１４の読み出し、ならびに、ＤＲＡＭ０１１３への中間画像信号０１１５への書き出しを中断するため、Ｓ０２０８へ移行する。
【００４６】
尚、図５で示すように、水平ブランキング期間信号がＨＩになる前に、静止画用カメラ信号処理を中断する必要がある。従って、水平ブランキング期間の間に、Ｓ０２０４、Ｓ０２０５、Ｓ０２０８の処理が完了するように、各フローに係る時間を予め定めておく必要がある。
【００４７】
Ｓ０２０８：マイコン０１１０は、静止画用カメラ信号処理手段０１０６に対し、ＤＲＡＭ０１１３からの中間画像信号０１１４の読み出し、ならびに、ＤＲＡＭ０１１３への中間画像信号０１１５への書き出しを中断する設定をする。
【００４８】
以上、Ｓ２０３〜Ｓ２０８のフローにて、水平ブランキング期間における静止画処理が実施される。
【００４９】
Ｓ０２０９：マイコン０１１０に入力される各垂直ブランキング期間信号がＬＯＷのとき、静止画処理動作（Ｓ０２１０〜Ｓ０２１５）を実施する。
【００５０】
センサ補正手段０１０４からマイコン０１１０に入力される垂直ブランキング期間信号がＬＯＷ（図６における、垂直ブランキング期間０６０２）のときに、静止画処理用カメラ信号処理手段０１０６とセンサ補正手段０１０４が、画像信号０１０２に対する静止画処理を行う。
【００５１】
共通カメラ信号処理手段０１０８から、垂直ブランキング期間信号がＬＯＷ（図６における、垂直ブランキング期間０６０３）のときに、共通カメラ信号処理手段０１０８が、画像信号０１０２に対する静止画処理を行う。
【００５２】
センサ補正手段０１０４、静止画用カメラ信号処理手段０１０６、共通カメラ信号処理手段０１０８は、水平ブランキング期間中に、静止画設定と起動（Ｓ０２１０）、静止画処理（Ｓ０２１１）、静止画中断処理（Ｓ０２１４）が実施される。
【００５３】
Ｓ０２１０−１：静止画用カメラ信号処理手段０１０６の設定と、データ読み出しの開始を行う。静止画用カメラ信号処理手段０１０６は、前述の通り、ＤＲＡＭ０１１３上に配置された中間画像信号０１１４を入力信号として処理し、静止画用カメラ信号処理が実施された画像信号を、中間画像信号０１１５として、ＤＲＡＭ０１１３上に記録する。
【００５４】
マイコン０１１０は、静止画用カメラ信号処理手段０１０６に対して、画質パラメータの設定や、ＤＲＡＭ０１１３からの中間画像信号０１１４の読み出し、ならびに、ＤＲＡＭ０１１３への中間画像信号０１１５への書き出し、などの制御設定を行う。
【００５５】
Ｓ０２１０−２：センサ補正手段０１０４と共通カメラ信号処理手段０１０８の設定と、データ読み出しの切り替えを行う。
【００５６】
マイコン０１１０は、セレクタ０１０３に対して、画像信号０１０２をＤＲＡＭ０１１３から読み出して、センサ補正手段０１０４へ出力するように、切り替え指示を行う。また、セレクタ０１１６に、センサ補正が実施された、記録画像信号０１０２を中間画像０１１４としてＤＲＡＭ０１１３に書きだすように、切り替え指示を行う。また、セレクタ０１０７に、ＤＲＡＭ０１１３に配置された、静止画用カメラ信号処理が実施された中間画像信号０１１５を共通カメラ信号処理手段０１０８に出力するように、切り替え指示を行う。また、セレクタ０１０９に、共通カメラ信号処理が実施された画像信号０１０２を、記録画像信号０１１２として、ＤＲＡＭ０１１３に記録するように、切り替え指示を行う。また、センサ補正手段０１０４、共通カメラ信号処理手段０１０８に対して、静止画用画質パラメータの設定、などの制御設定を行う。
【００５７】
センサ補正手段０１０４に入力される画像信号０１０２、ならびに共通カメラ信号処理手段０１０８に入力される画像信号０１０２（中間画像信号０１１５）は、図４（ｂ）のように、画像信号を矩形分割し、矩形単位で読み出される。
【００５８】
この矩形分割のサイズは、垂直ブランキング期間内に、その矩形画像信号の処理が終了するサイズである必要がある。矩形分割することで、センサ補正手段０１０４と共通カメラ信号処理手段０１０８のラインメモリを削減し、回路コストを小さくすることが出来る。
【００５９】
ラインメモリは、垂直方向の画素を参照する信号処理する際に必要となる。画像信号０１０２を図４（ａ）のように、静止画信号０１０２を一括読み出しする場合、センサ補正手段０１０４、共通カメラ信号処理手段０１０８は、静止画処理を中断して、動画処理を再開する際に、次垂直ブランキング期間における静止画処理再開のために、中断状態を保持する必要が出てくる。即ち、静止画処理における、垂直方向の参照情報を保持するため、保持用のラインメモリを実装する必要があり、回路コストが増加する。従って、垂直ブランキング期間０６０２ないしは０６０３の間に、画像処理が完了するように、小さい矩形サイズに画像分割することで、垂直方向の参照情報を保持する必要がないようにする。
【００６０】
Ｓ０２１１−１：上記設定後、垂直ブランキング期間０６０２中、静止画用カメラ信号処理手段０１０６による記録画像処理が為される。
【００６１】
Ｓ０２１１−２：上記設定後、垂直ブランキング期間０６０２中、センサ補正手段０１０４による記録画像処理が為される。
【００６２】
上記設定後、垂直ブランキング期間０６０３中、共通カメラ信号処理手段０１０８による画像処理が為される。
【００６３】
Ｓ０２１２：垂直ブランキング期間０６０２中に、画像信号０１０２のセンサ補正処理が完了した場合は、ＤＲＡＭ０１１３からの画像信号０１０２の読み出し、ならびに、ＤＲＡＭ０１１３への中間画像信号０１１４の書き出しを停止するため、Ｓ０２１５へ移行する。
【００６４】
また、垂直ブランキング期間０６０２中に、中間画像信号０１１４の静止画用カメラ信号処理が完了した場合は、ＤＲＡＭ０１１３からの中間画像信号０１１４の読み出し、ならびに、ＤＲＡＭ０１１３への中間画像信号０１１５の書き出しを停止するため、Ｓ０２１５へ移行する。
【００６５】
また、垂直ブランキング期間０６０３中に、中間画像信号０１１５の共通カメラ信号処理が完了した場合は、ＤＲＡＭ０１１３からの中間画像信号０１１５の読み出し、ならびに、ＤＲＡＭ０１１３への画像信号０１１２の書き出しを停止するため、Ｓ０２１５へ移行する。
【００６６】
図２のフローチャートでは、全ての完了条件を満たしてから、３つのブロックの静止画処理を停止するフローとなっているが、３つのブロックは、其々独立したパスで動作しているため、各々が処理完了したら停止する、という制御構成をとしても良い。
【００６７】
Ｓ０２１３：垂直ブランキング期間信号がＨＩになると、画像信号０１０１の処理を再開する必要があるための各種設定を行うため、Ｓ０２１４へ移行する。
【００６８】
図２のフローチャートでは、全ブロックがまとめてＳ０２１４へ移行するようなフローとなっているが、３つのブロックは、其々独立したパスで動作しているため、各々の対応する垂直ブランキング期間信号がＨＩになったら、Ｓ０２１４へ移行する、という制御構成としても良い。
【００６９】
尚、図５で示すように、垂直ブランキング期間信号がＨＩになる前に、静止画用カメラ信号処理を中断する必要がある。従って、垂直ブランキング期間の間に、Ｓ０２１０、Ｓ０２１１、Ｓ０２１４の処理が完了するように、各フローに係る時間を予め定めておく必要がある。
【００７０】
Ｓ０２１４−１：ＤＲＡＭ０１１３からの中間画像信号０１１４の読み出し、ＤＲＡＭ０１１３への中間画像信号０１１５への書き出しを停止させ、静止画用カメラ信号処理手段０１０５の動作を中断する。
【００７１】
Ｓ０２１４−２：センサ補正手段０１０４と、共通カメラ信号処理手段０１０８の静止画処理動作を中断し、動画処理再開のための設定を行う。
【００７２】
マイコン０１１０は、センサ補正手段０１０４に対して、ＤＲＡＭ０１１３からの画像信号０１０２の読み出し、ＤＲＡＭ０１１３への中間画像信号０１１４への書き出しを停止させ、静止画処理動作を中断する。そして、動画用画質パラメータをセンサ補正手段０１０４に設定する。
【００７３】
マイコン０１１０は、共通カメラ信号処理手段０１０８に対して、ＤＲＡＭ０１１３からの中間画像信号０１１５の読み出し、ＤＲＡＭ０１１３への静止画信号０１１２への書き出しを停止させ、静止画処理動作を中断する。そして、動画画用画質パラメータを共通画像処理手段０１０８に設定する。
【００７４】
また、マイコン０１１０は、セレクタ０１０３に対して、画像信号０１０１がセンサ補正手段０１０４に出力するように切り替え指示を行い、セレクタ０１１６に対して、センサ補正手段０１０４から出力される画像信号を動画用カメラ信号処理手段０１０５に入力するように切り替え指示を行い、セレクタ０１０７に対して、動画用カメラ信号処理手段０１０５から出力される画像信号を共通カメラ信号処理手段０１０８に入力するように切り替え指示を行い、セレクタ０１０９に対して、共通カメラ信号処理手段０１０８から出力される画像信号を記録画像信号０１１１として、ＤＲＡＭ０１１３に書きだすよう、切り替え指示を行う。
【００７５】
Ｓ０２１５−１：静止画用カメラ信号処理手段０１０５の動作を停止する。
【００７６】
マイコン０１１０かの指示内容は、Ｓ０２１４−２と共通のため、説明を割愛する。
【００７７】
尚、次の静止画処理が開始されるまで、静止画用カメラ信号処理手段０１０５の電源をオフして、消費電力を抑える制御構成としても良い。
【００７８】
Ｓ０２１５−２：センサ補正手段０１０４と、共通カメラ信号処理手段０１０８の静止画処理動作を停止し、動画処理再開のための設定を行う。
【００７９】
マイコン０１１０かの指示内容は、Ｓ０２１４−２と共通のため、説明を割愛する。
【００８０】
以上、Ｓ２０９〜Ｓ２１５のフローにて、垂直ブランキング期間における静止画処理が実施される。
【００８１】
以上が、図２を用いた、本発明の静止画撮影制御フローである。
【００８２】
図７は、本実施例における動画撮影中の静止画処理のタイミングを示したものであり、１Ｖ目の画像信号を静止画処理した事例である。
【００８３】
まず、センサ補正手段０１０４の静止画処理が垂直ブランキング期間中に実施され、センサ補正手段０１０４の静止画処理が完了してから、静止画用カメラ信号処理手段０１０６の処理が垂直および水平ブランキング期間中に実施される。そして静止画用カメラ信号処理手段０１０６の処理が完了してから、共通カメラ信号処理手段０１０８の静止画処理が、垂直ブランキング期間中に実施されて、記録画像が生成される。
【００８４】
尚、図７では、前の画像処理が完了してから、次の画像処理を行うようなタイミング説明となっているが、前の画像処理において、次の画像処理を行うための画像サイズ分が完了したら、次の画像処理を行うような制御構成としても良い。
【００８５】
以上の構成で、消費電力と回路コストを抑えつつ、動画記録中の静止画の記録可能枚数を増やす撮像装置を提供することが可能となる。
【符号の説明】
【００８６】
０１０３  セレクタ、０１０４  センサ補正手段、０１１０  マイコン
【図１】
2019022031.tif 000003
【図２】
2019022031.tif 000004
【図３】
2019022031.tif 000005
【図４】
2019022031.tif 000006
【図５】
2019022031.tif 000007
【図６】
2019022031.tif 000008
【図７】
2019022031.tif 000009